(57)【要約】【課題】プレハブ式その他各種の冷凍・冷蔵倉庫等の出入口に現在広く使用されている懸垂引戸式ドアは懸垂式で下辺がフリーで特に大形大重量であるため、その下辺の振れ止め作用とガイド作用を同時に実現できる、また破損の恐れの無い振れ止め兼ガイド機構が未だ提供されていない。【解決手段】冷凍・冷蔵倉庫等の庫体１側にガイドレール５を取付ける一方、ドア３側に取付けたブラケット７にガイド片８を設定外力で摺動若しくは脱落するように装着し、常時はガイドレール５に係合したガイド片８の作用でドア３を振れなくスムーズに開閉作動するように備え、一旦ドア３に設定外力以上の大きな負荷が加わると、ガイド片８がブラケット７内で摺動し若しくはブラケット７から摺動脱落するように備えることによって、ドア側、庫体側の機構を全く破損、損傷しないように備えたことを特徴とする本発明によって課題を解決した。【選択図】図２
2005042450.tif 000002
【特許請求の範囲】
【請求項１】
各種庫体の出入口に取付ける懸垂引戸式ドアにおいて、開扉位置のドアの内面と相対する庫体壁面に、ドアの下辺と平行してドアの横幅に見合った長さのＬ形突条を備えたガイドレールを固定し、
ドアの後側面の前記ガイドレールと相対する位置に取付けたブラケットに、ガイドレールのＬ形突条に係合する凹部を備えた長方形板片状のガイド片を、設定引張力で摺動し若しくは脱落するように装着したものであり、
前記ドアのブラケットに装着したガイド片の凹部を庫体側に固定したガイドレールのＬ形突条に係合することにより、ドアを凹部とＬ形突条の摺動案内で振れなくスムーズに開閉移動し、また、ドアに内側から外側方向に向かってドアを振れ動かす設定圧以上の外力が加わると、該外力がガイド片に引張り力となって加わって、該ガイド片をブラケット内を引張り摺動し若しくはブラケットから脱落して、ガイド片若しくはガイドレールが耐久限度以上の外力で損傷しないように備えたことを特徴とする、
懸垂引戸式ドアの振れ止め兼ガイド機構。
【請求項２】
ドアの後側面に取付けるブラケットは、ドアに固定する両袖板とブラケット板のねじを挿通する長孔を頂面にあけた平山部からなるベースと、両袖板にねじを通す孔をあけ山部内側にガイド片を摺動自在に嵌挿設置するコ形溝を形成したブラケット板と、ブラケット板の孔からベースの長孔に挿通したねじを螺合するねじ孔をあけた当て板からなり、
上記ブラケット板のコ形溝にガイド片を嵌合し、該ブラケット板の孔からベースの長孔を通して当て板のねじ孔に螺合したねじを締めて、ベースにブラケット板を固着しガイド片を装着した状態の、ベースの両袖板をドアにねじ止め固着するように備えたものであり、
また、庫体側に固定したガイドレールのＬ形突条の位置とドア側のブラケットに装着したガイド片の凹部の位置を、ねじを緩めブラケット片をベースの長孔に沿って上下移動してガイド片の位置を調節して合わせ、
更に、ねじの締付け力を強弱調節して、ドアに加わる外力でガイド片がコ形溝内で摺動し若しくは脱落するに至る摩擦抵抗力を調節するように備えたものである、
請求項１の懸垂引戸式ドアの振れ止め兼ガイド機構。
【発明の詳細な説明】
【技術分野】
【０００１】
本発明は、プレハブ式その他各種の大形冷凍・冷蔵庫、冷凍・冷蔵倉庫、クリーンルーム等の出入口に広く使用されている懸垂引戸式ドア（スライディングドア）の、振れ止め兼ガイド機構に関するものである。
【背景技術】
【０００２】
現在、プレハブ式その他各種の大形冷凍・冷蔵庫、冷凍・冷蔵倉庫、クリーンルーム等の庫体１の出入口２に懸垂引戸式ドア（スライディングドア）が広く使用されている。該懸垂引戸式ドアはドア３の上辺を庫体１側に固定した懸垂レール４に開閉移動自在に懸垂したものであるため、ドアの重量が大で大形のドアでも小さな力で容易に開閉動できる特徴があるが、懸垂式でドアの下辺がフリーであるため、開閉作動時、庫内外の気圧の変動、特に人、物等による押圧、衝突等の外力で、振れ動いたりばたついたりして、スムーズな開閉作動に支障を来し、或いはドア及び懸垂機構を損傷し、特に庫内温度を定温に維持することを最大使命とする庫体の密封性を損なって庫内温度に悪影響を及ぼす課題があった。
【０００３】
そこで、従来から上記課題を解決する手段が講じられてきたが、特に、機構が簡単でコストがかからないような振れ止め手段は未だ提供されていない。
【０００４】
また、ドア側と庫体側を頑丈に連結した機構であると、振れ止めの作用、効果には有効であっても、例えば、荷の出し入れ作動時等にドアにリフトや重い荷が衝突するなどで大きな負荷が加わると、ドアや振れ止め機構が破損されて、その修理に多大の経費がかかるなどの問題もあるため、一概に頑丈なだけでも課題の解決にならないことなどもあって、それらをクリアーできる有効な手段の開発が待望されてきた。
【発明の開示】
【発明が解決しようとする課題】
【０００５】
解決しようとする課題は、懸垂引戸式ドアの振れ止め作用とガイド作用を同時に実現できるような、破損の恐れの無い簡単な機構が提供されていない点にある。
【課題を解決するための手段】
【０００６】
本発明は、各種庫体の出入口に取付ける懸垂引戸式ドアにおいて、  開扉位置のドアの内面と相対する庫体壁面に、ドアの下辺と平行してドアの横幅に見合った長さのＬ形突条を備えたガイドレールを固定し、
【０００７】
ドアの後側面の前記ガイドレールと相対する位置に取付けたブラケットに、ガイドレールのＬ形突条に係合する凹部を備えた長方形板片状のガイド片を、設定引張力で摺動し若しくは、脱落するように装着したものであり、
【０００８】
前記ドアのブラケットに装着したガイド片の凹部を庫体側に固定したガイドレールのＬ形突条に係合することにより、ドアを凹部とＬ形突条の摺動案内で振れなくスムーズに開閉移動し、また、ドアに内側から外側方向に向かってドアを振れ動かす設定圧以上の外力が加わると、該外力がガイド片に引張り力となって加わって、該ガイド片をブラケット内を引張り摺動し若しくはブラケットから脱落して、ガイド片若しくはガイドレールが耐久限度以上の外力で損傷しないように備えたことを特徴とする、懸垂引戸式ドアの振れ止め兼ガイド機構によって課題を解決した。
【発明の効果】
【０００９】
ドア側に取付けたガイド片を庫体側に取付けたガイドレールに係合配置するだけで、ドアを振れなくスムーズに開閉移動ができる優れた特徴がある。
【００１０】
また、一旦、ドアにガイド片等の耐久強度以上の強い外力が加わると、ドアと庫体を連結しているガイド片が摺動し若しくは摺動脱落するように備えたので、ガイド片及びガイドレールを破損、損傷することがない優れた効果がある。
【発明を実施するための最良の形態】
【００１１】
庫体側にガイドレールを取付ける一方、ドア側に取付けたブラケットにガイド片を設定外力で摺動若しくは脱落するように装着し、常時はガイドレールに係合したガイド片の作用でドアを振れなくスムーズに開閉作動することができるが、一旦ドアに設定外力以上の大きな負荷が加わると、ガイド片がブラケット内で摺動し若しくはブラケットから摺動脱落してしまうように備えることによって、ドア側、庫体側の機構を全く破損、損傷しないように本発明機構を構成した。
【実施例】
【００１２】
図１は本発明の実施例機構を設置した庫体及びドアの概略正面図、図２は  図１のＡ部一部断面拡大図、図３は図２のＢ−Ｂ線断面図、図４はガイド片の正面図、平面図、及び右側面図、図５はベースの正面図、及びＣ−Ｃ線矢視断面図、図６はブラケット板の正面図、及びＤ−Ｄ線矢視断面図、図７は当て板の正面図、及びＥ−Ｅ線矢視断面図、図８はガイドレールの正面図、及びＦ−Ｆ線矢視断面図である。
【００１３】
図面において、ドア３の後側面に取付けるブラケット７は、ドア３に固定する両袖板１１とブラケット板１４のねじ２１を挿通する長孔１３を頂面にあけた平山部１２からなるベース１０と、両袖板１５にねじ２１を通す孔１６をあけ山部１７の内側にガイド片８を摺動自在に嵌挿設置するコ形溝１８を形成したブラケット板１４と、ブラケット板１４の孔１６からベース１０の長孔１３に挿通したねじ２１を螺合するねじ孔２０をあけた当て板１９からなり、
【００１４】
上記ブラケット板１４のコ形溝１８にガイド片８を嵌合し、該ブラケット板１４の孔１６からベース１０の長孔１３を通して当て板１９のねじ孔２０に螺合したねじ２１を締めて、ベース１０にブラケット板１４を固着してガイド片８を装着した状態の、ベース１０の両袖板１１をドア３にねじ止め固着するように備えたものであり、
【００１５】
また、庫体１側に固定したガイドレール５のＬ形突条６の位置とドア３側のブラケット７に装着したガイド片８の凹部９の位置を、ねじ２１を緩めブラケット片１４をベース１０の長孔１３に沿って上下移動してガイド片８の位置を調節して合わせ、
【００１６】
更に、ねじ２１の締付け力を強弱調節して、ドア３に加わる外力でガイド片８がコ形溝内１８で摺動し若しくは脱落するに至る摩擦抵抗力を調節するように備えてなる、懸垂引戸式ドアの振れ止め兼ガイド機構である。
【００１７】
上記機構において、ドア３を開閉動すると、ドア３はガイド片８とガイドレール５の案内で、振れなくスムーズに開閉される。
【００１８】
ドア３の内側に小さな外力が加わってもガイド片８とガイドレール５の係合でドア下辺部の振れを防止するので、ドア３は振れなく作動できるが、例えば、ドア３の内側に重い荷が衝突するなどで大きな外力が加わり、その力がガイド片８若しくはガイドレール５を損傷する恐れがある強さであると、ガイド片８等が損傷する前にガイド片８がブラケット内で摩擦摺動し若しくは摺動脱落し、よって、ガイド片８及びガイドレール５は損傷しない。
そして、摺動乃至脱落したガイド片を再びブラケットの原位置に装着して、従前通り使用するものである。
【産業上の利用可能性】
【００１９】
現在広く使用されている、プレハブ式その他各種の大形冷凍・冷蔵庫、冷凍・冷蔵倉庫、クリーンルーム等の出入口に使用する懸垂引戸式ドア（スライディングドア）、その他の下辺がフリーで、特に大形で重量が大なドアの振れ止め兼ガイド機構として汎用し得る。
【図面の簡単な説明】
【００２０】
【図１】本発明の実施例機構を設置した庫体及びドアの概略正面図。
【図２】図１のＡ部一部断面拡大図。
【図３】図２のＢ−Ｂ線断面図。
【図４】ガイド片の正面図、平面図、及び右側面図。
【図５】ベースの正面図、及びＣ−Ｃ線矢視断面図。
【図６】ブラケット板の正面図、及びＤ−Ｄ線矢視断面図。
【図７】当て板の正面図、及びＥ−Ｅ線矢視断面図。
【図８】ガイドレールの正面図、及びＦ−Ｆ線矢視断面図。
【符号の説明】
【００２１】
１    庫体
２    出入口
３    ドア
４    懸垂レール
５    ガイドレール
６    Ｌ形突条
７    ブラケット
８    ガイド片
９    凹部
１０  ベース
１１  両袖板
１２  平山部
１３  長孔
１４  ブラケット板
１５  両袖板
１６  孔
１７  山部
１８  コ形溝
１９  当て板
２０  ねじ孔
２１  ねじ
【図１】
2005042450.tif 000003
【図２】
2005042450.tif 000004
【図３】
2005042450.tif 000005
【図４】
2005042450.tif 000006
【図５】
2005042450.tif 000007
【図６】
2005042450.tif 000008
【図７】
2005042450.tif 000009
【図８】
2005042450.tif 000010